【手続補正書】
【提出日】平成16年2月5日(2004.2.5)
【手続補正１】
【補正対象書類名】明細書
【補正対象項目名】０００７
【補正方法】変更
【補正の内容】
【０００７】
この特定事項を含む発明では、押印開始時には、先ず、外ケースが付勢部材の付勢力に抗して着脱ストローク分だけ内ケースと相対的に変位する。この結果、朱肉ホルダは、内ケースが停止したままの状態でこれとは相対的に変位し、朱肉ホルダの朱肉が印面から離反する。
外ケースが着脱ストロークを越えると、朱肉ホルダはさらに開放ポジションに向かって変位し続けるとともに、内ケースも外ケースと一体的に駆動され、中間ケースとは相対的に変位する。この結果、連結機構により、朱肉ホルダが開放ポジションに変位するとともに、印鑑の印面が露出され、押捺されるに至る。


【手続補正２】
【補正対象書類名】明細書
【補正対象項目名】０００８
【補正方法】変更
【補正の内容】
【０００８】
さらに、押印後に外ケースに負荷されている荷重を解除すると、先ず、弾性部材の弾発力により、内外ケースが中間ケースと相対的に変位し、内ケースは、朱肉ホルダが当接遮蔽ポジションに至るのに先立って停止する。次いで、付勢部材による小さな反力によって外ケースが着脱ストローク分だけ内ケースと相対的に変位し初期状態に戻る。このため、朱肉ホルダの朱肉は、付勢部材によって緩衝された小さな付勢力のみによって印面に当接することになる。


【手続補正３】
【補正対象書類名】明細書
【補正対象項目名】０００９
【補正方法】変更
【補正の内容】
【０００９】
また、請求項２記載の発明は、請求項１記載の印鑑ケースにおいて、朱肉ホルダが着脱ストロークにおいて印鑑の長手方向に沿って変位するとともに開閉ストロークにおいて回動するように朱肉ホルダを中間ケースおよび外ケースと連結するカム部を設けている。
この特定事項を含む発明では、カム部によって、付勢部材による着脱ストロークを十分に確保することができる。


【手続補正４】
【補正対象書類名】明細書
【補正対象項目名】００１１
【補正方法】変更
【補正の内容】
【００１１】
また、請求項４記載の発明は、請求項１、２、または３記載の印鑑ケースにおいて、上記内ケースと外ケースとにそれぞれ設けられ、内ケースと外ケースとの間に規定される着脱ストロークを外ケースの外部から調整可能な調整ねじ機構をさらに設けている印鑑ケースである。
この特定事項を含む発明では、調整ねじ機構によって外ケースと内ケースとの着脱ストロークを調整することができるので、これによって印面の高さ調整を行なうことができる他、この高さ調整を外ケースの外側から行なうことができるので、印面の高さ調整を行なうに当たり、外ケースと内ケースとを分離する必要がなくなる。


【手続補正５】
【補正対象書類名】明細書
【補正対象項目名】００１８
【補正方法】変更
【補正の内容】
【００１８】
外ケース１３は、この印鑑ケース１０を使用する際に把持される部材であり、その外形は、図１（Ａ）（Ｂ）に示すように、転がり防止のために下端側が横断面矩形になり、上端側が、把持しやすいように下端側と連続して横断面略八角形を呈する面取り形状に形成されている。
図２を参照して、外ケース１３の上端側には、内向きフランジ２４が形成されており、この内向きフランジ２４内には、下側が小径の多段孔２５が区画されている。そして、多段孔２５には、外ケース１３の外部から回動させることができるようなマイナスねじ状の外形を呈するボス部材２６が離脱不能且つ回動可能に取り付けられている。ボス部材２６の中央部には、下方に垂下する横断面矩形の駆動突起２７が形成されており、駆動突起２７は、中空ねじ２８の矩形孔２９内に嵌入している。中空ねじ２８の外周に形成されたねじ部は、上記内ケース１１の上端内周に螺設された雌ねじに螺合している。他方、駆動突起２７の外周に沿う上記矩形孔２９によって、ボス部材２６と中空ねじ２８とは、一体的に回動可能且つ軸方向に相対変位可能に連結されているとともに、ボス部材２６の下面には、中空ねじ２８の上端面を受ける周溝３０が形成されている。これにより、外ケース１３は、図２に示す溝１２Ａおよびスライド突起１１Ａによって規定された囲繞ポジションから上側（押捺ポジションと反対側）の方へ離れる方向に内ケース１１に対して、中空ねじ２８と周溝３０とに規定される着脱ストロークＳ１だけ相対変位できるように構成されている。また、中空ねじ２８の下端が印鑑１５の上端に当接して、印鑑１５を内ケース１１と相対的に位置調整可能になっていることにより、ボス部材２６と中空ねじ２８とは、外ケース１３の外部から着脱ストロークＳ１を調整可能な状態で外ケース１３と内ケース１１とを連結する調整ねじ機構を構成している。


【手続補正６】
【補正対象書類名】明細書
【補正対象項目名】００２３
【補正方法】変更
【補正の内容】
【００２３】
本体保持部３８の上側縁部からは、一対のアーム４１が突設されている。各アーム４１は、それぞれ中間ケース１２の内両側面と内ケース１１の間に入り込んでいる。各アーム４１には、それぞれ二つ一組で突設されたカム軸４２、４３が形成されており、各カム軸４２、４３は、それらに対応して中間ケース１２の側壁に形成されたカム溝４４、４５に入り込んでいる（図５（Ａ）（Ｂ）参照）。


【手続補正７】
【補正対象書類名】明細書
【補正対象項目名】００２４
【補正方法】変更
【補正の内容】
【００２４】
これらカム軸４２、４３並びにカム溝４４、４５は、図示の実施の形態において朱肉ホルダ３５を外ケース１３と中間ケース１２とに連結する連結機構（カム部）を構成するものであり、一方のカム軸４２は他方のカム軸４３よりも長く突出して、外ケース１３の側壁の下端近傍部分に形成された水平カム溝４６内に入り込んで連結されている。そして、両カム軸４２、４３は、中間ケース１２が止定された状態で外ケース１３が下方に押し込まれることにより、一方のカム軸４２を力点とし、他方のカム軸４３を支点としてアーム４１を回動させ、アーム４１と一体に本体保持部３８（従って朱肉皿３７の朱肉３６）を中間ケース１３の切欠から外方に向けて回動するように構成されている。


【手続補正８】
【補正対象書類名】明細書
【補正対象項目名】００２６
【補正方法】変更
【補正の内容】
【００２６】
次に図１および図２並びに図５ないし図７を参照して、上述した実施の形態の作用について説明する。
図５ないし図７は図１の印鑑ケース１０に採用されている連結機構（カム部）の要部を示す側面略図である。
先ず図１（Ａ）および図５（Ａ）を参照して、印鑑ケース１０を使用する際には、図１（Ａ）に示すように蓋体１４を取り外し、外ケース１３を把持して押印する書類Ｄの上に中間ケース１２の下面を押しつける。


【手続補正９】
【補正対象書類名】明細書
【補正対象項目名】００２７
【補正方法】変更
【補正の内容】
【００２７】
ここで、図２に示す外ケース１３と内ケース１１との間の圧縮コイルばね３１の付勢力の方が内ケース１１と中間ケース１２との間の圧縮コイルばね２３よりも弱く設定されていることから、先ず外ケース１３が上述した着脱ストロークＳ１分だけ内ケース１１に対して相対的に変位することになる。
この最初の変位動作においては、上述したように、外ケース１３の水平カム溝４６内にカム軸４２が挿入されていることから、朱肉ホルダ３５は、このカム軸４２およびアーム４１から力を受けて一体的に（内ケース１１とは相対的に）下方に変位することになる。さらに、カム溝４４、４５にそれぞれスライド部４４Ａ、４５Ａが形成されていることから、図５（Ｂ）に示すように、両カム軸４２、４３は、そのまま下方に下がる結果、朱肉ホルダ３５の朱肉３６も印鑑１５の印面１６から直線状に離反する。


【手続補正１０】
【補正対象書類名】明細書
【補正対象項目名】００２８
【補正方法】変更
【補正の内容】
【００２８】
次いで、外ケース１３が上記着脱ストロークＳ１を越えると、外ケース１３が開閉ストロークＳ２を往動することにより、外ケース１３と一体的に設けられたボス部材２６の周溝３０内で中空ねじ２８が当接する（図２参照）結果、今度は外ケース１３と内ケース１１とが一体的に下方に下がる。これにより、内ケース１１は、圧縮コイルばね２３の付勢力に抗しながら下方に変位する一方、外ケース１３とカム軸４２を介して連結された朱肉ホルダ３５も下方にさらに下がることになる。これにより、各カム軸４２、４３は、図５（Ｂ）に示すように、スライド部４４Ａ、４５Ａの終端に至り、さらに下方に押し込まれることによって、図６（Ａ）（Ｂ）に示すように、他方のカム軸４３の回りに回動し、印鑑１５から十分に朱肉３６が退避している朱肉ホルダ３５を回動させ、開放ポジションに至ることになる。


【手続補正１１】
【補正対象書類名】明細書
【補正対象項目名】００２９
【補正方法】変更
【補正の内容】
【００２９】
その後、内ケース１１が下方に下がることにより、内ケース１１と一体的に保持された印鑑１５が下方に下がり、その印面１６を書類Ｄに当接させて、押捺がなされることになる。
押捺が終了し、外ケース１３に作用させていた押込み荷重を解除させると、先ず、圧縮コイルばね２３の付勢力により、内外ケース１１、１３が上方に退避して開閉ストロークＳ２を復動するとともに、朱肉ホルダ３５が上記と逆方向に回動することにより、朱肉３６が印鑑１５の印面１６と所定の間隔を隔てた状態で中心線方向に対向する。その後、図２に示す内ケース１１のスライド突起１１Ａが溝１２Ａの上端で停止することにより、まず、内ケース１１がスライド突起１１Ａと溝１２Ａとに規定された囲繞ポジションに停止する。この囲繞ポジションは、朱肉ホルダ３５の変位ストローク（ストロークＳと同じ）の途中に設定されていることから、朱肉ホルダ３５の朱肉３６は、印面１６とは隔たっている。この状態で、外ケース１３が上記着脱ストロークＳ１分だけ内ケース１１と相対的に変位することにより、朱肉ホルダ３５は、専ら付勢力の弱い緩衝用の付勢部材としての圧縮コイルばね３１の付勢力のみによって印鑑１５を遮蔽する姿勢に戻ることになる。


【手続補正１２】
【補正対象書類名】明細書
【補正対象項目名】００３０
【補正方法】変更
【補正の内容】
【００３０】
以上説明した実施の形態では、朱肉ホルダ３５が開放ポジションから当接遮蔽ポジションに戻る際、付勢部材としての圧縮コイルばね３１の弱い付勢力のみによって朱肉３６が印面１６に当接するので、弾性部材としての圧縮コイルばね２３の弾発力を大きく設定しても、朱肉３６に作用する衝撃を緩和することができる結果、圧縮コイルばね２３によるより強い押印力に対応することができる一方、朱肉３６の劣化や損傷を可及的に低減することができるという顕著な効果を奏する。


【手続補正１３】
【補正対象書類名】明細書
【補正対象項目名】００３１
【補正方法】変更
【補正の内容】
【００３１】
特に、上述のようなカム溝４４、４５を設けているので、朱肉３６ホルダ３５が開放ポジションから当接遮蔽ポジションに戻る際、圧縮コイルばね３１による着脱ストロークＳ１を十分に確保することができるので、一層確実な緩衝作用を得ることができ、しかも朱肉３６が印面１６に片当たりしにくくなるという利点がある。


【手続補正１４】
【補正対象書類名】図面
【補正対象項目名】図２
【補正方法】変更
【補正の内容】
【図２】
1998250207.tif 000001